(57)【要約】【課題】  無機質板を躯体に固定し、その脱落を防止できるその固定方法の提供。【解決手段】  メッシュシートを無機質板の上端または下端に、この端部を包み込むように仮止めし、さらに無機質板を越えて存在する領域を設け、無機質板を躯体に接着しながら、同時にこの無機質板を越えて存在する領域をアンカーで躯体に固定する。メッシュシートには樹脂組成物が塗布され、この樹脂組成物は硬化すると、メッシュシートを無機質板と固着させる。このように躯体に固定された無機質板は、経時的な劣化などで接着剤などによる固定が十分でなくなった場合でも、メッシュシートにより固定されているため、脱落や、脱落に伴う被害を防ぐことができる。また、メッシュシートおよび硬化した樹脂組成物は無機質板の端部にのみ適用するので、無機質板の意匠を損なうこともない。【選択図】  図１
2017115384.tif 000002
【特許請求の範囲】
【請求項１】
化粧面と施工面とを有する無機質板の躯体への固定方法であって、
（ａ）  前記無機質板よりも幅の広いメッシュシートを用意し、当該メッシュシートの一部を、前記無機質板の施工面か、または前記躯体に仮止めする工程と、
（ｂ）  前記メッシュシートの躯体または無機質板に仮止めされた箇所を覆いながら、仮止めされていないメッシュシートの部分を覆わないように、前記無機質板の施工面を躯体に接着剤で張り付ける工程であって、ここで、前記メッシュシートが前記無機質板を越えて存在する部分を有する工程と、
（ｃ）  前記メッシュシートの前記無機質板に覆われていない部分を、前記無機質板の端部において折り、当該端部を包み込みながら、化粧面に折り返す工程と、
（ｄ）  前記化粧面上にあるメッシュシートに樹脂組成物を塗布する工程と、
（ｅ）  前記無機質板を越えて存在する前記メッシュシートを、アンカーで躯体に固定する工程と、
（ｆ）  前記樹脂組成物を硬化させ、前記メッシュシートおよび前記無機質板を固着させる工程と
を含んでなる、方法。
【請求項２】
工程（ｃ）において、前記メッシュシートが、前記無機質板の上端および／または下端において折り返される、請求項１に記載の方法。
【請求項３】
工程（ｅ）において、無機質板を越えて存在する前記メッシュシートが、目地となる部分に相当する位置でアンカーにより固定される、請求項１に記載の方法。
【請求項４】
隣り合う無機質板の、無機質板を越えて存在する前記メッシュシートが、ともに重ね合わされて同時にアンカーで固定される、請求項２に記載の方法。
【請求項５】
前記樹脂組成物が、アクリルシリコーン樹脂またはウレタン樹脂組成物である、請求項１〜３のいずれか一項に記載の方法。
【請求項６】
工程（ａ）、工程（ｂ）、工程（ｃ）、工程（ｄ）、工程（ｅ）、工程（ｆ）の順序で実施される、請求項１〜５のいずれか一項に記載の方法。
【請求項７】
工程（ａ）、工程（ｂ）、工程（ｃ）の後、工程（ｅ）、工程（ｄ）、工程（ｆ）の順序で実施される、請求項１〜５のいずれか一項に記載の方法。
【請求項８】
工程（ａ）、工程（ｂ）、工程（ｃ）の後、工程（ｄ）、工程（ｆ）、工程（ｅ）の順序で実施される、請求項１〜５のいずれか一項に記載の方法。
【請求項９】
工程（ａ）、工程（ｂ）の後、工程（ｄ）、工程（ｃ）、工程（ｅ）、工程（ｆ）の順序で実施される、請求項１〜５のいずれか一項に記載の方法。
【請求項１０】
前記大型無機質板が短辺９００ｍｍ以上、厚さ１５ｍｍまでのものである、請求項１〜９のいずれか一項に記載の方法。
【発明の詳細な説明】
【技術分野】
【０００１】
本発明は、無機質板、とりわけ薄型で大型の陶磁器板を壁などの躯体に固定する方法に関し、さらに詳しくは無機質板を接着剤などで貼着する固定手段に加えて実施され、その脱落などを防止する方法に関する。
【背景技術】
【０００２】
内装または外装材としてタイルなどの無機質板が広く用いられている。これら無機質板の躯体への施工は、接着剤やモルタルなどで張り付けることに行われる。さらに、最近では目地を少なくでき、施工の簡略化や意匠の多様化を実現可能な大型無機質板、さらに薄型の大型陶磁器板が実用化され広く利用されてきており、このような大型無機質板についてもその施工は接着剤などによる張付けが一般的である。
【０００３】
このような無機質板、とくに大型陶磁器板を壁面などに施工する場合、経年により剥離や割れが発生しても、脱落並びに脱落に伴う被害を抑止することが必要になる。大型陶磁器板は薄型とされ軽量化されているものが多いが、特に大型陶磁器板を外装材として使用する場合には、脱落並びに脱落に伴う被害を抑止可能な施工システムが重要になる。
【０００４】
このような施工システムとして、接着剤などによる貼着に加えて、無機質板に穴をあけてタッピングビスなどで固定することが行われている。しかしながら、内装・外装材として化粧面を有するものである場合、穴およびビスの頭は化粧面の意匠を損なう恐れがある。従って、化粧面の意匠性を損ねない施工方法、とりわけ薄型で大型の無機質板の固定方法が求められていると言える。
【０００５】
特開２０１１−１３２７８４号公報（特許文献６）には、タイル外壁の補修方法として、タイル壁面に透明なメッシュシートを全面張りし、メッシュシートをアンカーで固定し、その上に透明樹脂を塗布する方法が開示されている。樹脂が塗布されたメッシュシートは目視し難い透明な仕上がり外観を得るとされている。しかし、この公報は補修方法としての手法を開示するのみである。
【先行技術文献】
【特許文献】
【０００６】
【特許文献１】特開平８−６８１８３号公報
【特許文献２】特開平１１−１５９１０２号公報
【特許文献３】特開２０１５−１０３８０号公報
【特許文献４】特開平６−１０１３２１号公報
【特許文献５】特開２０１３−３２６６７号公報
【特許文献６】特開２０１１−１３２７８４号公報
【発明の概要】
【発明が解決しようとする課題】
【０００７】
本発明は、無機質板を躯体に固定し、その脱落を防止できるその固定方法の提供を目的とする。
【課題を解決するための手段】
【０００８】
そして、本発明による方法は、化粧面と施工面とを有する無機質板の躯体への固定方法であって、
（ａ）  前記無機質板よりも幅の広いメッシュシートを用意し、当該メッシュシートの一部を、前記無機質板の施工面か、または前記躯体に仮止めする工程と、
（ｂ）  前記メッシュシートの躯体または無機質板に仮止めされた箇所を覆いながら、仮止めされていないメッシュシートの部分を覆わないように、前記無機質板の施工面を躯体に接着剤で張り付ける工程であって、ここで、前記メッシュシートが前記無機質板を越えて存在する部分を有する工程と、
（ｃ）  前記メッシュシートの前記無機質板に覆われていない部分を、前記無機質板の端部において折り、当該端部を包み込みながら、化粧面に折り返す工程と、
（ｄ）  前記化粧面上にあるメッシュシートに樹脂組成物を塗布する工程と、
（ｅ）  前記無機質板を越えて存在する前記メッシュシートを、アンカーで躯体に固定する工程と、
（ｆ）  前記樹脂組成物を硬化させ、前記メッシュシートおよび前記無機質板を固着させる工程と
を含んでなることを特徴とする。
【図面の簡単な説明】
【０００９】
【図１】メッシュシートの一部を無機質板の施工面に仮止めした状態を示す、無機質板の斜視図である。
【図２】メッシュシートの一部を躯体に仮止めした状態を示す模式図である。
【図３】図１に示される無機質板１を躯体２０の表面２１に張り付けた状態、および図２に示されるメッシュシート４が仮止めされた躯体２０の表面２１に無機質板１を張り付けた状態を示す図である。
【図４】図３に示される状態の後、メッシュシート４を折り返した状態を示す図である。
【図５】図４に示される無機質板１の領域６を、アンカー７で躯体に固定した状態を表す図である。
【図６】領域６が重ね合わされて同時に固定された状態の、アンカー７近傍の拡大図である。
【発明を実施するための形態】
【００１０】
本発明による固定方法は、無機質板は、まず接着剤により張り付けられ、さらに無機質板に樹脂組成物で固着されたメッシュシートを介してアンカーにより躯体に固定される。つまり本発明による方法によれば、二つの手段により無機質板は躯体に固定されることとなる。このような二つの手段により固定された無機質板は、経時的な劣化などで接着剤による固定が十分でなくなった場合でも、もう一つのメッシュシートを用いた固定手段が存在するため、脱落や、脱落に伴う被害を防ぐことができる。すなわち、本発明によれば、無機質板の躯体への二重化された固定方法が提供される。また、メッシュシートおよび硬化した樹脂組成物は無機質板の端部にのみ適用するので無機質板の意匠を大きく損ねることもない。
【００１１】
また、本発明の好ましい態様によれば、メッシュシートおよび樹脂組成物は、最終的に実質的に透明となる。本発明において、透明とは、無機質板の化粧面の色彩、意匠等に実質的に影響を与えない程度に可視光を透過する性質を意味し、より好適には、メッシュシートが存在している化粧面と、存在してない化粧面との視覚的差異が実用上無視できることを意味する。従って、本発明による方法によれば、無機質板の化粧面の意匠を損なうことなく、無機質板の脱落や、脱落に伴う被害を防ぐことができるとの利点が得られる。
【００１２】
本発明による方法によって固定される無機質板は、例えば陶磁器、石、またはガラスからなるものである。本発明の一つの態様によれば、本発明において無機質板は、平板として、外装または内装の壁、床、天井の仕上げ材や、キャビネット面材やカウンターの仕上げ材に好ましく用いられる。その大きさは限定されないが、本発明による固定方法は、上記のとおり、無機質板の躯体への二重化された固定方法とすることができることから、比較的大型の無機質板に対して好ましく適用される。本発明の一つの態様によれば、無機質板は短辺３００ｍｍを超えるものであり、９００ｃｍ２を超える面積を有するものである。無機質板の短辺の長さは、好ましくは６００ｍｍ以上、より好ましくは９００ｍｍ以上を有するものである。また、本発明の一つの態様によれば、本発明による方法は、例えば厚さは３ｍｍ以上８ｍｍ程度まで、望ましくは１０ｍｍ程度までの大型無機質板に好ましく適用できる。
【００１３】
上記の大型無機質板の本発明による固定方法は、工程（ａ）〜（ｆ）から基本的になる。以下、本発明による固定方法を工程ごとに説明する。
【００１４】
工程（ａ）
本工程においては、無機質板の一辺の長さよりも大きい長さのメッシュシートを用意し、このメッシュシートの一部を、無機質板の施工面か、または躯体に仮止めする。前記の一辺は、無機質板の横目地を形成する辺であることが好ましい。図１は、メッシュシートの一部を無機質板の施工面に仮止めした状態を示す、無機質板の斜視図である。図中、無機質板１の施工面３の側の上端および下端に、メッシュシート４が、領域５において仮止めされている。この仮止めは、メッシュシート４が脱落しない程度に強度を発揮できる態様であれば限定されず、接着剤や金具により行われてもよく、あるいは無機質板を躯体２０へ張り付ける際に使用される接着剤で行われてもよい。また、メッシュシート４は無機質板１の辺の長さよりも大きい長さのものを用いるが、メッシュシート４は、施工面３を越えて存在する領域６を、好ましくは両端部に設けるように仮止めされる。
【００１５】
本発明による方法において、メッシュシート４は施工面３の少なくとも一辺の側に施されるが、無機質板の脱落防止の観点から、化粧面の中心を挟んで相対する二辺の側に施されるのが好ましい。また、メッシュシート４は施工面３の上端および下端のいずれかに施されるのが好ましく、より好ましくは双方に施される。
【００１６】
また、図２は、メッシュシートの一部を躯体に仮止めした状態を示す模式図である。図中、無機質板１が張り付けられる予定の躯体２０の表面２１の領域において、無機質板１の上端および下端に対応する位置であって、無機質板が覆う領域５において、メッシュシート４が仮止めされている。この仮止めは、メッシュシート４が脱落しない程度に強度を発揮できる態様であれば限定されず、接着剤や金具により行われてもよく、あるいは無機質板を躯体２０へ張り付ける際に使用される接着剤で行われてもよい。また、メッシュシート４は無機質板１の辺の長さよりも大きい長さのものを用いるが、メッシュシート４は、無機質板１が覆う領域５を越えて存在する領域６を、好ましくは両端部に設けるように仮止めされる。
【００１７】
本発明による方法において、メッシュシート４は無機質板１が固定される予定の領域の少なくとも一辺の側に施されるが、無機質板の脱落防止の観点から、化粧面の中心を挟んで相対する二辺の側に施されるのが好ましい。また、メッシュシート４は無機質板１が固定される予定の領域の上端および下端のいずれかに施されるのが好ましく、より好ましくは双方に施される。
【００１８】
この工程において用いられるメッシュシートは、無機質板を躯体へ固定する強度を発揮できる素材から織られたもの、もしくは織られることにより固定強度を発揮できる素材を使用したもの、もしくは後記する樹脂組成物と組み合わせることによって強度を発揮できる素材を使用したものである。本発明におけるメッシュシートは、樹脂組成物と組み合わされ、実質的に透明となる素材およびそれを実現できる構造のものであることが好ましい。好ましい素材としては樹脂（ポリエステル、ナイロン等）、ガラス繊維、合成繊維、金属線、またはカーボン繊維が挙げられる。本発明の一つの態様によれば、メッシュシートの網目は、１５〜１００メッシュ／インチの粗さに形成されることが好ましい。
【００１９】
工程（ｂ）
この工程では、メッシュシートの躯体または無機質板に仮止めされた箇所を覆いながら、仮止めされていないメッシュシートの部分を覆わないように、前記無機質板の施工面を躯体に接着剤で張り付ける工程である。図３は、図１に示される無機質板１を躯体２０の表面２１に張り付けた状態、および図２に示されるメッシュシート４が仮止めされた躯体２０の表面２１に無機質板１を固定した状態を示す図である。図３の状態において、無機質板１は、メッシュシート４の躯体または無機質板に仮止めされた箇所、すなわち図１の領域５および図２の領域５を覆いながら、仮止めされていないメッシュシート４の部分を覆わないように躯体に張り付けられている。
【００２０】
さらに、図３に示されるように、無機質板１を張り付けた後、メッシュシート４が無機質板１を越えて存在する領域６が維持されるように張り付ける。
【００２１】
無機質板を躯体に張り付ける接着剤としては、無機質板を躯体に接着可能なものであれば限定されないが、合成高分子系の接着剤が好ましい。合成高分子系の接着剤としては、エポキシ系、シリコーン系、ウレタン系、アクリル系などが好適に用いられる。これらの接着剤は、常温で液状あるいはペースト状の接着剤、ホットメルト接着剤、テープ状に成形されたもの、のいずれも好適に使用可能である。
【００２２】
本発明において、無機質板を躯体に張り付ける際に用いる接着剤を工程（ａ）の仮止めに用いても良い。この態様においては、例えば、躯体の表面の無機質板を張り付ける領域に接着剤を公知の方法で塗布し、接着剤が塗布された面に、メッシュシートを仮止めし、次いで、仮止めしたメッシュシートの一部を覆うように、無機質板を張り付ける。ここで使用するメッシュシートには接着剤の透過を妨げない程度の間隙が備えられていることが好ましい。
【００２３】
本発明において、無機質板１の施工面と躯体との接着剤による張り付けは、無機質板１と躯体の表面２１との間に下地材が介在する態様も含まれるものとする。この場合、例えば、躯体が鉄骨等の柱である場合には、板状の下地材が躯体に公知の方法で固定されており、この下地材の表面に無機質板を接着剤で張り付ける。また例えば、既設の壁をリフォームする際に本発明の方法を適用する場合、既設の壁面を下地材として、その上に接着剤を用いて無機質板を張り付けても良い。また例えば、下地材として下地調整モルタルが接着剤層を形成する表面に適用されていても良い。いずれの場合も、固定に用いられるビスやアンカーボルトは躯体に固定されていることが好ましい。
【００２４】
工程（ｃ）
この工程では、躯体に固定されていないメッシュシート部分を、無機質板の端部において折り、当該端部を包み込みながら、化粧面に折り返す。図４は、メッシュシート４を折り返した状態を示す図である。ここで領域６も同様に折り返され、無機質板１を越えて存在する。
【００２５】
工程（ｄ）
化粧面上にあるメッシュシートに樹脂組成物を塗布する工程である。この工程で用いられる樹脂組成物は、硬化すると、メッシュシートを無機質板の化粧面に固着させ、場合によりさらにメッシュシートを躯体の表面に固着させる。
【００２６】
本発明において用いられる樹脂組成物は、メッシュシートに浸透し、メッシュシートと一体化して硬化し、無機質板の化粧面に固着させるものが好ましく、さらに、実質的に透明となるものが、より好ましく、例えば、硬化後の樹脂組成物とメッシュシートとが一体的に見える程度に、屈折率が等しいものの利用が考えられる。樹脂組成物としては、耐候性および固着強度に優れたものを用いる。そのような樹脂組成物としては、例えば、アクリル樹脂、ウレタン樹脂、エポキシ樹脂、シリコーン樹脂、これらを複合した樹脂、これらのシリコーン変性樹脂の群から選択される樹脂組成物が好適に用いられ、アクリルシリコーン樹脂がより好適に用いられる。
【００２７】
本発明の一つの態様によれば、アクリルシリコーン樹脂として、加水分解性シリル基を有する重合性単量体とその他の重合性単量体とを共重合したアクリルシリコーン樹脂と、硬化剤として加水分解性シリル基の脱水縮合触媒として有機スズ化合物を用いる組み合わせ、あるいは、側鎖中に水酸基を導入し、架橋剤としてイソシアネートを用いる組み合わせを利用できる。また、アクリルシリコーン樹脂の主剤にポリオールやエポキシ硬化剤を配合し、アクリルシリコーン樹脂の硬化剤にイソシアネートやエポキシ樹脂を配合して、アクリルシリコーン樹脂以外の他の硬化形態により硬化する組み合わせを用いることもできる。
【００２８】
また、本発明の一つの態様によれば、ウレタン樹脂として、脂肪族ウレタン樹脂組成物を用いることができる。脂肪族ウレタン樹脂組成物としては、分子内に脂肪族イソシアネート基を有するウレタンプレポリマーを用いる１液型、分子内に水酸基を有するポリオール成分（ａ）と分子内に脂肪族イソシアネート基を有するポリイソシアネート成分（ｂ）とを用いる多液型が含まれる。１液型の場合、ウレタンプレポリマー中の脂肪族イソシアネート基が水と反応することで硬化し、ポリウレタン硬化物となる。また、多液型の場合は、ポリオール成分（ａ）中の水酸基とポリイソシアネート成分（ｂ）中のイソシアネート基が反応することで硬化し、ポリウレタン硬化物となる。
【００２９】
ポリオール成分（ａ）としては、例えば、ポリアクリルポリオール、ポリエステルポリオール、ポリカーボネートポリオール等が挙げられる。ポリアクリルポリオールの具体例としては、水酸基を有するアクリレートを汎用モノマーと共重合したアクリルポリオールが挙げられる。また、ポリエステルポリオールの具体例としては、セバシン酸やアジピン酸から誘導されるポリエステル骨格、カプロラクトンから誘導されるポリカプロラクトン骨格を有するポリオール等が挙げられる。また、ポリカーボネートポリオールの具体例としては、１，６−ヘキサンジオール、１，５−ペンタンジオール、３−メチル−１，５−ペンタンジオールなどから誘導されるポリカーボネート骨格を有するポリオール等が挙げられる。さらに、１分子中にポリエステル骨格とポリカーボネート骨格を有するポリオールの利用も可能である。特に、ポリカーボネート骨格を有するポリオールが、光透過性、はく落防止効果に寄与する硬化物の強靱性などが高く、好ましい。
【００３０】
上記ポリイソシアネート成分（ｂ）としては、例えば、イソホロンジイソシアネート（ＩＰＤＩ）、ヘキサメチレンジイソシアネート（ＨＤＩ）、キシリレンジイソシアネート（ＸＤＩ）、シクロヘキサンジイソシアネート、４，４′−メチレンビス（シクロヘキシルイソシアネート）、１，３−ビス（イソシアネートメチル）シクロヘキサン、リジンジイソシアネート、リジントリイソシアネート及びその多量体等が挙げられる。多量体としては、ウレトジオン型ダイマー、ビュレット型トリマー、イソシアヌレート型トリマー、トリメチロールプロパンアダクト型トリマー、アロファネート変性イソシアヌレート型多量体等が挙げられる。また、これらのポリイソシアネート化合物の一部のイソシアネート基が、他の官能基で変性されていてもよい。他の官能基で変性する場合、アルキルアルコール系化合物、ポリエチレングリコール系化合物、ポリプロピレングリコール系化合物、アルキルアミン系化合物、アミノ酸系化合物、アミノスルホン酸系化合物、アルキルチオール系化合物などを用いることができる。特に、ビュレット型ＨＤＩトリマー、イソシアヌレート型ＨＤＩトリマー、トリメチロールプロパンアダクト型ＨＤＩトリマー及びその誘導体が、入手が容易であり、透明性が高く、経時での黄変性が少ないため、好ましく用いられ、イソシアヌレート型ＨＤＩトリマーが、その高い耐久性ゆえ特に好ましい。
【００３１】
ポリオール成分（ａ）とポリイソシアネート成分（ｂ）との反応速度を調整するため、必要に応じて硬化触媒を用いてもよい。硬化触媒としては、金属触媒，塩基触媒，酸触媒等の従来公知の触媒を用いることができる。金属触媒としては、有機スズ化合物や有機亜鉛化合物等に代表される有機金属触媒、ラウリン酸スズやオクチル酸ビスマス等に代表されるカルボン酸金属塩等の無機金属触媒が挙げられ、塩基触媒としては、ジメチルシクロヘキシルアミンや１，８−ジアザビシクロ［５．４．０］ウンデカ−７−エン等に代表される三級アミン等のアミン触媒が挙げられ、酸触媒としては、リン酸やカルボン酸等のブレンステッド酸触媒などが挙げられる。
【００３２】
本発明において、樹脂組成物はメッシュシートに浸透し、メッシュシートと一体化して、無機質板の化粧面に固着させものであることが好ましい。従って、樹脂組成物はメッシュシートに浸透可能な粘度等の物性を有するものであることが好ましく、その調整は例えば溶媒の選択、樹脂濃度等により行われてよい。塗布の方法は限定されず、刷毛、へら、ローラー等により塗布されてよい。
【００３３】
本発明の一つの態様によれば、工程（ｃ）においてメッシュシートを折り返す前に、上記した樹脂組成物を塗布し、その後メッシュシートを折り返す工程（ｃ）が実施されてもよい。この態様にあっては、塗布された樹脂組成物は、その上に置かれたメッシュシートに対し、好ましくは浸透するが、別の態様として、樹脂組成物は、メッシュシートに実質的に浸透せず、その表面に留まりながら硬化してメッシュシートを化粧面に固着させる態様のものであってもよい。この態様にあっては、メッシュシートの上にさらに樹脂組成物を塗布することが好ましい。
【００３４】
この工程（ｄ）により、メッシュシートは、目地近傍の無機質板の化粧面に固着される。メッシュシートが覆う化粧面の面積は、無機質板を躯体に固定し、無機質板の脱落や、脱落に伴う被害を防ぐことができる限り、無機質板の大きさなどを勘案して適宜決定されてよいが、一つの態様によれば、化粧面の全面積の５〜２０％程度、好ましくは８％以上１３％以下をメッシュシートで覆う。本発明の別の態様によれば、短辺の長さが６００ｍｍ以上の大型の無機質板の場合、無機質板の端部から１〜１０ｃｍ程度、好ましくは３ｃｍ以上５ｃｍ以下の領域をメッシュシートで覆うことが好ましく、この態様にあって、メッシュシートは例えば２２ｍｍ〜２２０ｍｍ幅、好適には幅が６２ｍｍ以上１１０ｍｍ以下のものであることが好ましい。本発明においては化粧面の中央部が露出し、化粧面の周縁部にのみメッシュシートおよび樹脂組成物が適用される。これにより、無機質板の化粧面の色彩、意匠は維持され、かつ、無機質板に二重の固定手段が施される。大型無機質板に本発明を適用する場合、メッシュシートおよび樹脂組成物が適用された領域は、目地として認識され、意匠的な違和感がない。また、施工面の全面にメッシュシートや樹脂組成物を適用する必要がないため、部材の使用量が少なくて済む。さらに、メッシュシートおよび樹脂組成物が透明である場合は、メッシュシートおよび樹脂組成物が適用された領域と化粧面が露出した領域とが視覚的に一体化して識別され難くなるため、無機質板の化粧面の色彩、意匠等に実質的に影響を与えずに、無機質板に二重の固定手段を施すことが可能となる。
【００３５】
工程（ｅ）
無機質板を越えて存在するメッシュシートをアンカーで躯体に固定する工程である。図５は、図４に示される無機質板１の領域６を、アンカー７で躯体に固定した状態を表す図であり、同様に複数枚の無機質板１１、１２および１３が躯体２０の表面２１に固定されている。複数枚の無機質板を固定する際、隣り合う無機質板の領域６同士は、重ね合わせて同時にアンカー７により固定されてよい。従って、この態様にあっては、好ましくはアンカー７は目地部に存在する。
【００３６】
図６は、領域６が重ね合わされて同時に固定された状態の、アンカー７近傍の拡大図である。図中、隣り合う無機質板１１および１２は接着層３０により躯体２０に固定されており、さらに無機質板１１の端部を包み込んだメッシュシートは、施工面と化粧面側双方に存在し、無機質板１１は化粧面側にあるメッシュシート４１と、施工面側にあるメッシュシート４２を有する。同様に、無機質板１１の隣に固定された無機質板１２もまた、化粧面側にあるメッシュシート４１と、施工面側にあるメッシュシート４２を有する。これらメッシュシート４１、４２、４３および４４は、ともにそれらを貫通するアンカー７により躯体２０に固定される。好ましくは、躯体２０にアンカー固定用の穴が設けられており、メッシュシート４１、４２、４３および４４を貫通してアンカー７を固定用穴に打ち込みまたは嵌合させることにより、メッシュシートは躯体２０に固定される。同時に、この固定は大型無機質板１１および１２を躯体２０に固定することとなる。ここで、アンカー３２は、ビスまたはアンカーボルトが好適に用いられる。
【００３７】
本発明による方法において、アンカーによるメッシュシートの固定は、工程（ｄ）として樹脂組成物が塗布される前に行う順序とされてもよく、さらに工程（ｆ）の樹脂組成物が硬化する前または後に行う順序とされてもよい。
【００３８】
工程（ｆ）
樹脂組成物を硬化させ、メッシュシートを無機質板と固着させる工程である。硬化は、反応硬化型の樹脂を用いた場合、反応の進行に十分な時間を置くことで実施される。また、溶媒が蒸発することで樹脂組成物が硬化する場合には、乾燥のための時間を置くことで実施される。
【００３９】
本発明の好ましい態様にあっては、この樹脂組成物の硬化後、メッシュシートおよび樹脂組成物が透明となる。メッシュシートおよび硬化した樹脂組成物が透明となることで、上記したように無機質板の化粧面の色彩、意匠等に実質的に影響を与えずに、無機質板に二重の固定手段を施すことが可能となる。
【符号の説明】
【００４０】
１・・無機質板、２・・無機質板の化粧面、３・・無機質板の施工面、４・・メッシュシート、５・・メッシュシートが仮止めされた部分、６・・メッシュシートの無機質板を越えて存在する領域、７・・アンカー、１１、１２、１３・・隣り合う複数の無機質板、２０・・躯体、２１・・躯体表面、３０・・接着剤の層、４１・・無機質板１１の化粧面のメッシュシート、４２・・無機質板１１の施工面のメッシュシート、４３・・無機質板１２の化粧面のメッシュシート、４４・・無機質板１２の施工面のメッシュシート、
【図１】
2017115384.tif 000003
【図２】
2017115384.tif 000004
【図３】
2017115384.tif 000005
【図４】
2017115384.tif 000006
【図５】
2017115384.tif 000007
【図６】
2017115384.tif 000008